(57)【要約】【課題】筒型のフィルタを丸ごと洗浄することができる洗浄装置を提供する。【解決手段】洗浄装置１１は、フィルタ２３を丸ごと収容可能であって洗浄液が貯留される洗浄槽２０と、洗浄槽２０内に収容されたフィルタ２３を、フィルタ２３と一体回転可能に支持する支持軸３５と、洗浄槽２０内においてフィルタ２３に対して接触可能に設けられた洗浄ブラシ２８と、洗浄ブラシ２８がフィルタ２３に接触する状態と、洗浄ブラシ２８がフィルタ２３から離れた状態との間で切り替え可能なテーブルリフト１３と、レバー４９の回動動作に伴う回動力を、支持軸３５を回転させる回転力として支持軸３５に伝達する回転力伝達機構とを備えている。【選択図】図２
2020195933.tif 000002
【特許請求の範囲】
【請求項１】
筒型のフィルタを丸ごと収容可能であって前記フィルタを洗浄する洗浄液が貯留される洗浄槽と、
前記洗浄槽内に収容された前記フィルタを、前記フィルタの軸線を回転中心として前記フィルタと一体回転可能に支持する支持軸と、
前記洗浄槽内において前記フィルタに対して接触可能に設けられた洗浄ブラシと、
前記洗浄ブラシが前記フィルタに接触する状態と、前記洗浄ブラシが前記フィルタから離れた状態との間で切り替え可能な切替機構と、
レバーの回動動作に伴う回動力を、前記支持軸を回転させる回転力として前記支持軸に伝達する回転力伝達機構と、
を備えることを特徴とする洗浄装置。
【請求項２】
前記レバーの回動動作によって前記支持軸が回転されるときに、前記支持軸の回転方向とは逆の方向に前記支持軸を回転させる力を蓄積するぜんまいモータを備えることを特徴とする請求項１に記載の洗浄装置。
【請求項３】
前記洗浄ブラシが前記フィルタに接触する状態において、前記レバーの回動動作に伴う回動力を、前記洗浄ブラシを前記フィルタの軸線方向に往復移動させる移動力として前記洗浄ブラシに伝達する移動力伝達機構を備えることを特徴とする請求項１または請求項２に記載の洗浄装置。
【発明の詳細な説明】
【技術分野】
【０００１】
本発明は、フィルタを洗浄する洗浄装置に関する。
【背景技術】
【０００２】
従来、この種の洗浄装置として、例えば特許文献１に示すように、ロール状に巻かれた使用済みのロールフィルタを洗浄するロールフィルタ洗浄装置が知られている。このようなロールフィルタ洗浄装置では、洗浄前ロールフィルタ送り出し機の心棒に巻かれた状態のロールフィルタを、巻き解きながら送り出して洗浄、すすぎ、乾燥等を行った後、洗浄済ロールフィルタ巻取り機の心棒に巻き取るようにしている。
【先行技術文献】
【特許文献】
【０００３】
【特許文献１】特開２００６−１１０４９２号公報
【発明の概要】
【発明が解決しようとする課題】
【０００４】
ところで、上述のようなロールフィルタ洗浄装置では、長尺帯状のフィルタを洗浄することができるものの、筒型のフィルタを丸ごと洗浄することができないという問題がある。
【０００５】
本発明は、このような従来技術に存在する問題点に着目してなされた。その目的は、筒型のフィルタを丸ごと洗浄することができる洗浄装置を提供することにある。
【課題を解決するための手段】
【０００６】
以下、上記課題を解決するための手段及びその作用効果について記載する。
上記課題を解決する洗浄装置は、筒型のフィルタを丸ごと収容可能であって前記フィルタを洗浄する洗浄液が貯留される洗浄槽と、前記洗浄槽内に収容された前記フィルタを、前記フィルタの軸線を回転中心として前記フィルタと一体回転可能に支持する支持軸と、前記洗浄槽内において前記フィルタに対して接触可能に設けられた洗浄ブラシと、前記洗浄ブラシが前記フィルタに接触する状態と、前記洗浄ブラシが前記フィルタから離れた状態との間で切り替え可能な切替機構と、レバーの回動動作に伴う回動力を、前記支持軸を回転させる回転力として前記支持軸に伝達する回転力伝達機構と、を備えることを要旨とする。
【０００７】
この構成によれば、フィルタが丸ごと収容された洗浄槽に洗浄液を貯留するとともに洗浄ブラシをフィルタに接触させた状態でレバーを回動動作させることで、支持軸がフィルタと一体回転するので、洗浄ブラシによってフィルタを洗浄液に浸漬しながらブラッシングすることができる。このため、筒型のフィルタを丸ごと洗浄することができる。
【図面の簡単な説明】
【０００８】
【図１】一実施形態において、フィルタがセットされていない状態の洗浄装置の斜視図。
【図２】フィルタがセットされた状態の洗浄装置の斜視図。
【図３】昇降テーブルが下降位置にあるときの洗浄装置の要部を示す正面図。
【図４】昇降テーブルが上昇位置にあるときの洗浄装置の要部を示す正面図。
【発明を実施するための形態】
【０００９】
以下、洗浄装置の一実施形態を図面に従って説明する。
図１及び図２に示すように、洗浄装置１１は、全体として略直方体状をなしており、水平方向に延びるように設置されている。なお、本実施形態では、洗浄装置１１の長手方向をＸ方向とし、鉛直方向をＺ方向とし、Ｘ方向及びＺ方向の両方と直交する方向をＹ方向として説明する。
【００１０】
洗浄装置１１は、Ｘ方向に延びる略直方体状のフレーム１２を備えている。フレーム１２内の下部には、パンタアーム式のテーブルリフト１３が配置されている。テーブルリフト１３は、矩形板状の昇降テーブル１４と、昇降テーブル１４と係合する昇降リンク機構１５と、昇降リンク機構１５と一端側が螺合するねじ軸１６の他端側に固定された円形のハンドル１７とを備えている。
【００１１】
ねじ軸１６はＸ方向に延びており、ハンドル１７はフレーム１２の外側に位置している。そして、テーブルリフト１３は、ハンドル１７の一方向への回転動作により昇降リンク機構１５が昇降テーブル１４を上昇させ、ハンドル１７の一方向とは逆の逆方向への回転動作により昇降リンク機構１５が昇降テーブル１４を下降させるようになっている。
【００１２】
図２及び図３に示すように、昇降テーブル１４の上面には、Ｘ方向に延びる矩形状のベース板１８が固定されている。ベース板１８の上面には、Ｘ方向に延びる一対のレール１９がＹ方向に所定の間隔をおいて設けられている。一対のレール１９上には、Ｘ方向に延びる直方体状の洗浄槽２０が配置されている。この場合、洗浄槽２０の底面におけるＸ方向の一端部及び他端部にはそれぞれ一対の車輪２１が回転可能に設けられており、各車輪２１が対応するレール１９上に載置されている。
【００１３】
ベース板１８の上面における洗浄槽２０をＹ方向で挟んだ両側には、洗浄槽２０をＸ方向にガイドするガイドブロック２２が２つずつ設けられている。したがって、洗浄槽２０は、各車輪２１が対応するレール１９上をレール１９に沿って転動することで、各ガイドブロック２２にガイドされながらＸ方向に往復移動可能になっている。洗浄槽２０は、円筒型のフィルタ２３を丸ごと収容可能であり、内部にフィルタ２３を洗浄するための洗浄液２４が貯留される。フィルタ２３が例えば射出成型機などの機械の作動油を濾過するものである場合、洗浄液２４として例えば洗油などが用いられる。
【００１４】
洗浄槽２０は、上端が開口した有底矩形箱状のケース２５と、ケース２５の開口を開閉する有底矩形箱状の蓋体２６とを備えている。蓋体２６は、ケース２５に対してＸ方向に延びる軸線を中心に回動可能に設けられており、ケース２５の開口を開放する開放位置（図１に示す位置）とケース２５の開口を閉塞する閉塞位置（図２に示す位置）との間で回動可能になっている。なお、本実施形態の洗浄槽２０は、無色透明の合成樹脂材料によって構成されている。
【００１５】
図１及び図２に示すように、洗浄槽２０におけるＸ方向の両側壁の中央部には、Ｚ方向に延びる長孔２７がそれぞれ貫通するように形成されている。各長孔２７は、ケース２５と蓋体２６とを跨ぐように延びている。ケース２５の内底面における中央部には、複数（本例では３つ）の洗浄ブラシ２８がＸ方向に等間隔となるように設けられている。
【００１６】
図２及び図３に示すように、ベース板１８の上面におけるＸ方向のハンドル１７側の端部には、移動力伝達機構２９が設けられている。移動力伝達機構２９は、一対の軸受３０と、軸３１と、第１斜歯歯車３２と、一対の円板３３と、一対のリンク３４とを備えている。一対の軸受３０は、ベース板１８の上面におけるＹ方向の両端部にそれぞれ立設されている。軸３１は、Ｙ方向に延びており、両端部が一対の軸受３０によってそれぞれ回転可能に支持されている。
【００１７】
第１斜歯歯車３２は、軸３１におけるＹ方向の中央部に軸３１と一体回転するように設けられている。一対の円板３３は、Ｙ方向における一対の軸受３０の外側に配置されて中心が軸３１の両端にそれぞれ固定されている。一対のリンク３４は、棒状をなしており、一対の円板３３のＹ方向の外側の面における中心から外れた位置とケース２５におけるＹ方向の両側面とをそれぞれ連結している。
【００１８】
この場合、各リンク３４は、一端が各円板３３に対してＹ方向に延びる軸線を中心に回転可能に連結され、他端が洗浄槽２０のケース２５の各側面のＸ方向におけるハンドル１７側の端部の下端部に対してＹ方向に延びる軸線を中心に回転可能に連結されている。したがって、軸３１が回転されると、各円板３３と各リンク３４とがクランク機構として機能するため、洗浄槽２０がＸ方向に往復移動される。
【００１９】
図１及び図２に示すように、洗浄槽２０の２つの長孔２７には、Ｘ方向に延びる支持軸３５が挿通されている。すなわち、支持軸３５は、Ｘ方向において洗浄槽２０を貫通するように延びており、フレーム１２によって回転可能に支持されている。洗浄槽２０内における支持軸３５の途中位置には、フィルタ２３を挟持可能な一対の円形状の支持板３６が設けられている。
【００２０】
一対の支持板３６はＸ方向において互いに対向しており、一対の支持板３６同士の間にはフィルタ２３を挿入するためのフィルタ挿入空間３７が形成されている。支持軸３５は、Ｘ方向においてフィルタ挿入空間３７を挟んで２つに分割されており、分割されたそれぞれの端部が一対の支持板３６の中心部にそれぞれ連結されている。この場合、支持軸３５と一対の支持板３６とは、一体回転可能に連結されている。
【００２１】
２つに分割された支持軸３５のうち、ハンドル１７側とは反対側に位置する方は第１支持軸３８とされ、ハンドル１７側に位置する方は第２支持軸３９とされている。一対の支持板３６のうち、第１支持軸３８側に位置する方は第１支持板４０とされ、第２支持軸３９側に位置する方は第２支持板４１とされている。一端側が第１支持板４０に連結された第１支持軸３８の他端側はフレーム１２に設けられたクランプ４２に回転可能に連結されている。
【００２２】
クランプ４２は、クランプレバー４３を有している。クランプレバー４３は、寝かせた位置（図２に示す位置）と立てた位置（図１に示す位置）との間で回動可能になっている。そして、クランプレバー４３を、寝かせた位置から立てた位置に回動させると、第１支持軸３８及び第１支持板４０がＸ方向において第２支持板４１から若干離れ、立てた位置から寝かせた位置に回動させると、第１支持軸３８及び第１支持板４０がＸ方向において第２支持板４１に若干近づく。
【００２３】
したがって、クランプレバー４３が立てた位置にあるときにフィルタ挿入空間３７にフィルタ２３をその軸線がＸ方向に延びる位置態様で挿入した状態でクランプレバー４３を寝かせた位置に回動させると、一対の支持板３６によってフィルタ２３が挟持される。このとき、支持軸３５の軸線とフィルタ２３の軸線とが一致し、フィルタ２３が一対の支持板３６によって一体回転可能に挟持される。そして、クランプレバー４３を寝かせた位置から立てた位置に回動させると、一対の支持板３６によるフィルタ２３の挟持状態が解除される。
【００２４】
第２支持軸３９の途中位置には、第２斜歯歯車４４及び第１平歯車４５が互いに隣り合うように設けられている。第１平歯車４５は、Ｘ方向において第２支持板４１からの距離が第２斜歯歯車４４よりも遠くなるように配置されている。第２支持軸３９における第２支持板４１側とは反対側の端部とＹ方向において隣り合う位置には、ぜんまいモータ４６がフレーム１２に固定された状態で配置されている。
【００２５】
ぜんまいモータ４６の中心部には、ぜんまい（図示略）を巻くためのぜんまい軸４７が貫通するように設けられている。ぜんまい軸４７は、Ｘ方向に延びており、洗浄槽２０側の端部に第２平歯車４８が設けられている。第２平歯車４８は、第１平歯車４５よりも外径が大きくなっており、第１平歯車４５と噛合している。ぜんまい軸４７における第２平歯車４８側とは反対側の端部には、ぜんまい軸４７を回動させるためのレバー４９の先端部が連結されている。
【００２６】
この場合、レバー４９は、ぜんまい軸４７と直交する方向に延びており、ワンウェイクラッチ（図示略）を介してぜんまい軸４７に連結されている。したがって、レバー４９を往復回動させた場合には、２つの回動方向のうちいずれか一方の方向に回動させたときにだけぜんまい軸４７が回動される。ぜんまい軸４７が回動されると、その回動力が第２平歯車４８及び第１平歯車４５を介して支持軸３５に伝達されて支持軸３５が回転する。
【００２７】
支持軸３５が回転されると、洗浄槽２０内に収容されて一対の支持板３６によって挟持されたフィルタ２３が、支持軸３５と一体回転する。すなわち、支持軸３５は、洗浄槽２０内に収容されたフィルタ２３を、フィルタ２３の軸線を回転中心としてフィルタ２３と一体回転可能に一対の支持板３６において支持している。なお、本実施形態では、レバー４９の回動動作に伴う回動力を、支持軸３５を回転させる回転力として支持軸３５に伝達する回転力伝達機構が、ぜんまい軸４７、第２平歯車４８、及び第１平歯車４５によって構成されている。
【００２８】
ぜんまいモータ４６は、レバー４９の回動動作によってぜんまい軸４７が回動されて支持軸３５が回転されるときに、支持軸３５の回転方向とは逆の方向に支持軸３５を回転させる力を蓄積する。さらに、ぜんまいモータ４６は、上記蓄積した力が解放されないようにするためのストッパー（図示略）と、当該ストッパーを解除して上記蓄積した力を解放するために操作される解除レバー５０とを備えている。
【００２９】
図２及び図４に示すように、移動力伝達機構２９の軸３１に設けられた第１斜歯歯車３２は、支持軸３５（第２支持軸３９）に設けられた第２斜歯歯車４４の真下の位置に位置している。洗浄槽２０内において、各洗浄ブラシ２８は、一対の支持板３６に挟持されたフィルタ２３の真下の位置に位置している。
【００３０】
そして、テーブルリフト１３のハンドル１７を一方向へ回転させて昇降テーブル１４を上昇させると、洗浄槽２０及び移動力伝達機構２９が上昇され、各洗浄ブラシ２８が一対の支持板３６に挟持されたフィルタ２３の周面に接触するとともに第１斜歯歯車３２が第２斜歯歯車４４と噛合する状態（図４に示す状態）になる。したがって、洗浄槽２０内において、各洗浄ブラシ２８は、一対の支持板３６に挟持されたフィルタ２３の周面に対して接触可能に設けられていると言える。この状態（図４に示す状態）での昇降テーブル１４の位置は、上昇位置とされている。
【００３１】
一方、図４に示す状態からテーブルリフト１３のハンドル１７を逆方向へ回転させて昇降テーブル１４を下降させると、洗浄槽２０及び移動力伝達機構２９が下降され、各洗浄ブラシ２８が一対の支持板３６に挟持されたフィルタ２３の周面から離れるとともに第１斜歯歯車３２が第２斜歯歯車４４から離れた状態（図３に示す状態）になる。この状態（図３に示す状態）での昇降テーブル１４の位置は、下降位置とされている。
【００３２】
なお、テーブルリフト１３は、昇降テーブル１４を上昇位置と下降位置との間で昇降させることで、各洗浄ブラシ２８が一対の支持板３６に挟持されたフィルタ２３の周面に接触する状態と、各洗浄ブラシ２８が一対の支持板３６に挟持されたフィルタ２３の周面から離れた状態との間で切り替える。したがって、本実施形態では、テーブルリフト１３によって切替機構が構成されている。
【００３３】
次に、洗浄装置１１の作用について説明する。
洗浄装置１１によってフィルタ２３の洗浄を行う場合には、まず、テーブルリフト１３のハンドル１７を回動させて昇降テーブル１４を下降位置に移動させる。続いて、洗浄槽２０の蓋体２６を開け、ケース２５内に洗浄液２４をその液面が所定の高さになるまで入れる。続いて、クランプレバー４３を立てた位置に回動させ、フィルタ挿入空間３７に汚れたフィルタ２３をその軸線がＸ方向に延びる位置態様で挿入した状態でクランプレバー４３を寝かせた位置に回動させる。
【００３４】
すると、一対の支持板３６によってフィルタ２３が挟持される。このとき、支持軸３５の軸線とフィルタ２３の軸線とが一致し、フィルタ２３が一対の支持板３６によって一体回転可能に挟持される。続いて、テーブルリフト１３のハンドル１７を回動させて昇降テーブル１４を上昇位置に移動させる。すると、図４に示すように、洗浄槽２０及び移動力伝達機構２９が上昇され、各洗浄ブラシ２８が一対の支持板３６に挟持されたフィルタ２３の周面に接触するとともに第１斜歯歯車３２が第２斜歯歯車４４と噛合する。
【００３５】
このとき、フィルタ２３における各洗浄ブラシ２８との接触部分を含む下端部が洗浄液２４に浸される。続いて、レバー４９を往復回動させると、ぜんまい軸４７が回動される。すると、ぜんまい軸４７の回動力が第２平歯車４８及び第１平歯車４５を介して支持軸３５に伝達され、支持軸３５が一対の支持板３６によって挟持されたフィルタ２３と一体回転する。
【００３６】
これにより、フィルタ２３が各洗浄ブラシ２８によって回転方向にブラッシングされ、フィルタ２３の表面の汚れが各洗浄ブラシ２８によって掻き落される。このとき、ぜんまいモータ４６は、支持軸３５の回転方向とは逆の方向に支持軸３５を回転させる力を蓄積する。さらにこのとき、支持軸３５の回転力が第２斜歯歯車４４及び第１斜歯歯車３２を介して移動力伝達機構２９の軸３１に伝達されて軸３１が回転される。
【００３７】
移動力伝達機構２９は、軸３１が回転されると、各円板３３と各リンク３４とがクランク機構として機能するため、洗浄槽２０が各洗浄ブラシ２８と一緒にフィルタ２３の軸線方向となるＸ方向に往復移動される。すなわち、移動力伝達機構２９は、各洗浄ブラシ２８がフィルタ２３に接触する状態において、レバー４９の回動動作に伴う回動力を、フィルタ２３の軸線方向に各洗浄ブラシ２８を往復移動させる移動力として、洗浄槽２０を介して各洗浄ブラシ２８に伝達する。
【００３８】
つまり、移動力伝達機構２９は、各洗浄ブラシ２８がフィルタ２３に接触する状態において、レバー４９の回動動作に伴う回動力によって回転される支持軸３５の回転力を、フィルタ２３の軸線方向に各洗浄ブラシ２８を往復移動させる移動力として、洗浄槽２０を介して各洗浄ブラシ２８に伝達する。このため、フィルタ２３が各洗浄ブラシ２８によって回転方向だけでなく軸線方向にもブラッシングされるので、フィルタ２３の濾材５１の軸線方向に延びる折り目５２同士の間に溜まった汚れも各洗浄ブラシ２８によって効果的に掻き落される。
【００３９】
続いて、レバー４９の回動動作を止めた後、テーブルリフト１３のハンドル１７を回動させて昇降テーブル１４を上昇位置から下降位置に移動させる。すると、図３に示すように、洗浄槽２０及び移動力伝達機構２９が下降され、各洗浄ブラシ２８及び洗浄液２４が一対の支持板３６に挟持されたフィルタ２３から離れるとともに第１斜歯歯車３２が第２斜歯歯車４４から離れる。
【００４０】
続いて、ぜんまいモータ４６の解除レバー５０を操作して、ぜんまいモータ４６に蓄積された支持軸３５を回転させる力を解放する。すると、当該解放された力によってぜんまい軸４７が高速で回転される。これにより、ぜんまい軸４７の回転力が第２平歯車４８及び第１平歯車４５を介して支持軸３５に伝達され、支持軸３５が一対の支持板３６によって挟持されたフィルタ２３と一緒に高速で回転される。
【００４１】
すると、フィルタ２３が高速で回転されるときの遠心力によってフィルタ２３に付着した洗浄液２４が吹き飛ばされるので、洗浄液２４がフィルタ２３から効率的に除去される。続いて、洗浄槽２０の蓋体２６を開けた後、フィルタ２３を手で支えながらクランプレバー４３を寝かした位置から立てた位置に回動させて一対の支持板３６によるフィルタ２３の挟持状態を解除する。その後、洗浄槽２０からフィルタ２３を取り出すことで、洗浄装置１１によるフィルタ２３の洗浄が完了する。
【００４２】
以上詳述した実施形態によれば、次のような効果が発揮される。
（１）洗浄装置１１は、洗浄槽２０と、支持軸３５と、洗浄ブラシ２８と、洗浄ブラシ２８がフィルタ２３に接触する状態と、洗浄ブラシ２８がフィルタ２３から離れた状態との間で切り替え可能なテーブルリフト１３と、レバー４９の回動動作に伴う回動力を、支持軸３５を回転させる回転力として支持軸３５に伝達する回転力伝達機構とを備える。この構成によれば、フィルタ２３が丸ごと収容された洗浄槽２０に洗浄液２４を貯留するとともに各洗浄ブラシ２８をフィルタ２３に接触させた状態でレバー４９を回動動作させることで、支持軸３５がフィルタ２３と一体回転する。このため、各洗浄ブラシ２８によってフィルタ２３を洗浄液２４に浸漬しながらブラッシングすることができる。したがって、筒型のフィルタ２３を丸ごと洗浄することができる。
【００４３】
（２）洗浄装置１１は、レバー４９の回動動作によって支持軸３５が回転されるときに、支持軸３５の回転方向とは逆の方向に支持軸３５を回転させる力を蓄積するぜんまいモータ４６を備える。この構成によれば、フィルタ２３の洗浄後にフィルタ２３から洗浄ブラシ２８及び洗浄液２４を離した状態でぜんまいモータ４６に蓄積された力を解放することで、当該解放された力によって支持軸３５をフィルタ２３と一体回転させることができる。このため、フィルタ２３の回転に伴う遠心力によってフィルタ２３に付着した洗浄液２４を吹き飛ばすことができるので、フィルタ２３の効率的な乾燥に貢献できる。
【００４４】
（３）洗浄装置１１は、洗浄ブラシ２８がフィルタ２３に接触する状態において、レバー４９の回動動作に伴う回動力を、洗浄ブラシ２８をフィルタ２３の軸線方向に往復移動させる移動力として洗浄ブラシ２８に伝達する移動力伝達機構２９を備えている。この構成によれば、洗浄ブラシ２８によるフィルタ２３に対するブラッシング効果を高めることができるので、フィルタ２３をより効果的に洗浄できる。
【００４５】
（４）洗浄装置１１は、電気的な構成を一切備えていないため、電源を必要とすることなく使用できる。
（変更例）
上記実施形態は、以下のように変更して実施することができる。また、上記実施形態及び以下の変更例は、技術的に矛盾しない範囲で互いに組み合わせて実施することができる。
【００４６】
・洗浄装置１１において、移動力伝達機構２９は省略してもよい。
・洗浄装置１１において、ぜんまいモータ４６は省略してもよい。
【符号の説明】
【００４７】
１１…洗浄装置、１３…切替機構を構成するテーブルリフト、２０…洗浄槽、２３…フィルタ、２４…洗浄液、２８…洗浄ブラシ、２９…移動力伝達機構、３５…支持軸、４５…回転力伝達機構を構成する第１平歯車、４６…ぜんまいモータ、４７…回転力伝達機構を構成するぜんまい軸、４８…回転力伝達機構を構成する第２平歯車。
【図１】
2020195933.tif 000003
【図２】
2020195933.tif 000004
【図３】
2020195933.tif 000005
【図４】
2020195933.tif 000006